(57)【特許請求の範囲】
【請求項１】
上下方向及び幅方向を有し、マスク本体と一対の耳掛け部とを含む使い捨てマスクにおいて、
前記マスク本体の前記上下方向の寸法を２等分する横断中心線よりも下方において、
前記幅方向へ延び、かつ、前記上下方向において所定幅を有する、他の部分に比して剛性の低い低剛性域が位置する前記マスク。
【請求項２】
前記低剛性域の上方及び下方においてそれに隣接して高剛性域が位置し、前記高剛性域は、前記低剛性域よりも剛性が高く、前記横断中心線よりも下方に位置する請求項１に記載のマスク。
【請求項３】
前記マスク本体は、シートを折り重ねた重畳部分からなる襞部を有し、前記襞部は、前記マスク本体の前記幅方向の全域に延びており、前記高剛性域は前記襞部から形成され、前記低剛性域は、前記襞部間に位置する非重畳部分から形成される請求項１又は２に記載のマスク。
【請求項４】
前記高剛性域におけるシートの単位面積当たりの質量が、前記低剛性域におけるシートの単位面積当たりの質量よりも高い請求項１〜３のいずれかに記載のマスク。
【請求項５】
前記低剛性域と、前記低剛性域の上方に位置する第１高剛性域と、前記低剛性域の下方に位置する第２高剛性域とを有し、それらの剛性の相関関係が、前記第２高剛性域≧前記第１高剛性域＞前記低剛性域である請求項１〜４のいずれかに記載のマスク。
【請求項６】
前記高剛性域の前記上下方向の寸法が６〜１２ｍｍ、前記低剛性域の前記上下方向の寸法が１〜７ｍｍである請求項１〜５のいずれかに記載のマスク。
【請求項７】
前記低剛性域の両側部には、折曲補助手段が位置する請求項１〜６のいずれかに記載のマスク。
【請求項８】
前記マスク本体の両側部には、複数の接合部から形成された、前記上下方向へ延びるシール域が配置されており、前記折曲補助手段は、前記接合部が配置されていない非シール域から形成される請求項７に記載のマスク。
【発明の詳細な説明】
【技術分野】
【０００１】
本発明は、使い捨てマスクに関する。
【背景技術】
【０００２】
特許文献１には、繊維不織布製のシートから形成されたマスク本体と、マスク本体の両側縁から環状に延びる一対の耳掛け部と、マスク本体においてシートを折り重ねた重畳部分からなる複数の襞部（プリーツ）を有する使い捨てマスクが開示されている。
【先行技術文献】
【特許文献】
【０００３】
【特許文献１】特開２００８−５５０３５号（Ｐ２００８−５５０３５）
【発明の概要】
【発明が解決しようとする課題】
【０００４】
特許文献１に開示された使い捨てマスクでは、マスク本体の両側縁部の上下方向における中央部分において、切り込みが形成されている。通常、マスク本体には、耳掛け部が耳部に掛け回されたときに、耳掛け部の固定端から上下方向へ向かうマスク本体を変形させようとする力が作用するが、中央部分にかかる力が作用しても、切り込みによってそれを分散、吸収して変形を抑制することができる。
【０００５】
しかし、切り込みがマスク本体の中央部に位置することから、耳掛け部の固定端から切り込みまでの離間距離が比較的に大きくなり、耳掛け部の固定端から切り込みに力を伝えてそれを分散、吸収することができず、固定端と切り込みとの間において変形を生じてしまうおそれがある。特に、耳掛け部では、着用状態において、下方の固定端よりも耳が上方に位置することから、耳掛け部の自由部に対してそれを斜め上方へ引っ張る力が大きくなるので、中央部分にそれらの力を緩衝するための領域を設けても、力が伝達する前に両側縁部が変形してしまう。また、マスク本体の両側縁及び下端縁は直状に延びており、たとえ切り込みにおいてマスク本体を変形させようとする力を分散、吸収できたとしても、正面視において、顔面から幅方向へ張り出したような態様をなし、着用者の顔面が小さく見えるようなすっきりとした印象を与えることができない。
【０００６】
本発明は、従来の使い捨てマスクの改良であって、マスク本体の変形を抑制し、顔面形状に沿った湾曲状を呈することができ、すっきりとした印象を与えることのできる使い捨てマスクの提供を課題にしている。
【課題を解決するための手段】
【０００７】
前記課題を解決するために、本発明は、上下方向及び幅方向を有し、マスク本体と一対の耳掛け部とを含む使い捨てマスクに関する。
【０００８】
本発明に係る使い捨てマスクは、前記マスク本体の前記上下方向の寸法を２等分する横断中心線よりも下方において、前記幅方向へ延び、かつ、  前記上下方向において所定幅を有する、他の部分に比して剛性の低い低剛性域が位置することを特徴とする。
【０００９】
前記低剛性域の上方及び下方においてそれに隣接して高剛性域が位置し、前記高剛性域は、前記低剛性域よりも剛性が高く、前記横断中心線よりも下方に位置することから、低剛性域とその上下方向に隣接して位置する高剛性域とによる折曲誘導手段が、横断中心線の下方に位置することから、耳掛け部の下固定部から上方へ向かう力による変形が生じる前に、その力を低剛性域において確実に、分散、吸収することができる。
【００１０】
前記マスク本体は、シートを折り重ねた重畳部分からなる襞部を有し、前記襞部は、前記マスク本体の前記幅方向の全域に延びており、前記高剛性域は前記襞部から形成され、前記低剛性域は、前記襞部間に位置する非重畳部分から形成されることから、マスク本体の両側縁部のみならず、幅方向の全域において高剛性域と低剛性域を形成することができる。また、基材シートをプリーツ状に折り曲げることによって低剛性域及び高剛性域を形成することができるので、別部材を配置したり部分的にシートの質量を変える等の形成手段に比べて、構成が簡易であり、製造コストを抑えることができる。
【００１１】
前記高剛性域におけるシートの単位面積当たりの質量が、前記低剛性域におけるシートの単位面積当たりの質量よりも高い。かかる場合には、シート基材のうちの低剛性域を形成する部分の質量を他の部分よりも小さくなるように製造することによって、プリーツ状に折り畳まなくても低剛性域を形成することができる。
【００１２】
前記低剛性域と、前記低剛性域の上方に位置する第１高剛性域と、前記低剛性域の下方に位置する第２高剛性域とを有し、それらの剛性の相関関係が、前記第２高剛性域≧前記第１高剛性域＞前記低剛性域である。かかる場合には、耳掛け部の下固定部から上方へ向かう力を第２高剛性域において十分に受け止めた後に、低剛性域において吸収、分散することができる。また、第１及び第２高剛性域の剛性が互いに異なることによって、それらの間に位置する低剛性域をより折曲し易くすることができる。
【００１３】
前記高剛性域の前記上下方向の寸法が６〜１２ｍｍ、前記低剛性域の前記上下方向の寸法が１〜７ｍｍであるから、低剛性域がマスク本体の両側縁部の折曲誘導部として機能することができる。
【００１４】
低剛性域の両側部には、折曲補助手段が位置することから、低剛性域においてマスク本体の両側縁部に掛かる力を吸収、分散してより確実に折曲することができる。
【００１５】
前記マスク本体の両側部には、複数の接合部から形成された、前記上下方向へ延びるシール域が配置されており、前記折曲補助手段は、前記接合部が配置されていない非シール域から形成されることから、低剛性域における剛性がさらに低くなり、確実に折曲させることができる。
【発明の効果】
【００１６】
本発明に係る使い捨てマスクによれば、着用状態において、低剛性域においてマスク本体を変形させようとする力を分散、吸収することができるので、マスク本体の両側縁部が変形して顔面から離間するのを抑制することができる。また、マスク本体全体がフェイスラインに沿い、正面視において、すっきりとした印象を与えることができる。
【図面の簡単な説明】
【００１７】
図面は、本発明の特定の実施の形態を示し、発明の不可欠な構成ばかりでなく、選択的及び好ましい実施の形態を含む。
【図１】本発明に係る使い捨てマスクの正面から視た平面図。
【図２】図１のＩＩ−ＩＩ線に沿って切断し、マスクの一方側部側を外面から視た斜視断面図。
【図３】図２の切断面を側方から視た図。
【図４】着用状態におけるマスクの側面図。
【図５】図４の一部拡大図。
【図６】図５に示す、ＶＩ−ＶＩ線に沿う断面図。
【図７】変形例の一例におけるマスクの正面から視た平面図。
【図８】変形例の一例におけるマスクの図６と同様の断面図。
【図９】着用状態におけるマスクの正面図。
【図１０】小顔効果の事前評価に関するヒストグラム。
【図１１】小顔効果の本評価に関するグラフ。
【発明を実施するための形態】
【００１８】
下記の実施の形態は、図１〜図１１に示す使い捨てマスクに関し、発明の不可欠な構成ばかりではなく、選択的及び好ましい構成を含む。
【００１９】
図１及び図２を参照すると、本発明の使い捨てマスクの一例として示す、マスク１０は、上下方向Ｙ及び幅方向Ｘを有し、肌対向面及びそれに対向する非肌対向面と、上下方向Ｙの寸法を２等分する横断中心線Ｑと、マスク本体２０と、マスク本体２０の両側縁２０ｃ，２０ｄから延びる環状の一対の耳掛け部３０とを含む。
【００２０】
マスク本体２０は、繊維不織布製の基材シート２１から形成されており、幅方向Ｘへ直状に延びる上端縁２０ａと、下方へ僅かに凸曲して幅方向Ｘへ延びる下端縁２０ｂと、上下端縁２０ａ，２０ｂ間において上下方向Ｙへ延びる両側縁２０ｃ，２０ｄとを有する。下端縁２０ｂは、幅方向Ｘへ直状に延びる中央部位１９ａと、中央部位１９ａの両側に位置する曲状のサイド曲状部位１９ｂ，１９ｃとを有する。マスク本体２０は、一対の耳掛け部３０の両端３１Ａ，３１Ｂを固定する上下固定部３４Ａ，３４Ｂが位置する上下端部と、上下方向Ｙにおいて上下端部の間に位置する、着用者の口と対向する口覆い部（中間部）２４とをさらに有する。さらに、マスク本体２０は、上下端縁２０ａ，２０ｂと両側縁２０ｃ，２０ｄとが交差する曲状の隅部２７を有する。隅部２７が、先鋭状ではなく曲状を有することによって、着用者の顔面が隅部２７に触れても刺激を与えることはない。
【００２１】
マスク本体２０は、耳掛け部３０の上下固定部３４Ａ，３４Ｂから幅方向Ｘの外側に位置する両側縁部１８と、下固定部３４Ｂの下端よりも下方へ延びる接顎部２３とを有する。接顎部２３は、着用状態において、着用者の顎と対向して位置し、口覆い部２４から下方へ突出したような外形を有する。
【００２２】
マスク本体２０（マスク１０）の上下方向Ｙの寸法（両側縁２０ｃ，２０ｄの長さ寸法）Ｗ１は、６０〜１００ｍｍ、幅方向Ｘの寸法（上下端縁２０ａ，２０ｂの長さ寸法）Ｌ１は、１４０〜１８０ｍｍである。マスク本体２０の上下方向Ｙの寸法Ｗ１が、６０ｍｍ以下の場合には、大人の着用者の標準的な大きさの顎を十分に被覆することができず、一方、寸法Ｗ１が１００ｍｍよりも大きい場合には、マスク本体２０の下端が顎から下方へ延びて、マスク１０の正面視において、実際よりも面長な印象を与えてしまうおそれがある。
【００２３】
マスク本体２０を形成する基材シート２１は、肌対向面側に位置する内層シート２５と、非肌対向面側に位置する外層シート２６とから構成されている。内層シート２５と外層シート２６とは、マスク本体２０の外周縁に沿って断続的に延びる外周シール域４０によって互いに接合されている。外周シール域４０は、その延在方向へ所定寸法離間して配置された複数の接合部４１から形成される。外周シール域４０は、マスク本体２０の上端縁２０ａに沿って幅方向Ｘへ断続的に延びる２条のラインからなる上側シール域４２と、下端縁２０ｂに沿って幅方向Ｘへ断続的に延びる下側シール域４３と、両側縁２０ｃ，２０ｄに沿って上下方向Ｙへ断続的に延びるサイドシール域４４とを有する。
【００２４】
内層シート２５と外層シート２６は、例えば、熱融着性繊維を含む質量１０〜４０ｇ／ｍ２の通気性を有する繊維不織布シートであって、メルトブローン繊維不織布、スパンボンド繊維不織布、ＳＭＳ繊維不織布及びエアスルー繊維不織布等の各種公知の繊維不織布の他に、織布、ガーゼ、木綿布等の肌触り及び通気性の良好なシート材料から形成することができる。図示していないが、内外層シート２５，２６の間に微粒子のフィルター機能及び又は芳香剤、抗菌剤を含む中間シートを介在させてもよい。耳掛け部３０は、好ましくは弾性的に伸縮可能なものであって、不織布や織布、プラスチックフィルム、ゴムひも等の公知の材料によって形成される。
【００２５】
外周シール域４０は、断続的に配置された複数の接合部４１において内層シート２５と外層シート２６とを互いに溶着する溶着シールラインであって、両シート２５，２６は外周シール域４０においてのみ接合され、他の部分において互いに接合されていない。したがって、両シート２５，２６の内面全体が互いに接合されている場合に比して、マスク１０全体は柔軟性及び通気性に優れる。
【００２６】
図２を参照すると、外周シール域４０の接合部４１は、一対の短辺と一対の長辺とから画成された略長方形状であって、上側シール域４２と下側シール域４３とにおいては、長辺が幅方向Ｘへ延びるように接合部４１が配置されており、上下方向Ｙへ延びる２つのシールラインを形成している。また、上側シール域４２のシールライン間の上下方向Ｙの離間寸法は、下側シール域４３のシールライン間の上下方向Ｙの離間寸法よりも大きくなっている。サイドシール域４４は、両側縁２０ｃ，２０ｄに沿って上下方向Ｙへ延びる１条のラインを形成するように断続的に配置された複数の外側接合部４１Ａのほかに、耳掛け部３０の下固定部３４Ｂの上方に位置する複数の内側接合部４１Ｂを有する。
【００２７】
図２を参照すると、上側シール域４２のシールライン間には、幅方向Ｘへ延びる弾性帯片（ノーズフィット）６０が配置されている。弾性帯片６０は、内層シート２５と外層シート２６との間に介在されており、具体的には、上側シール域４２を形成する２つのシールライン間に形成された筒状の空間内に挟持固定されている。弾性帯片６０の両端の幅方向の外側には、弾性帯片６０の幅方向Ｘへの移動を規制するための接合部４１が配置されている。
【００２８】
内層シート２５の上下端縁部は、外層シート２６の下端縁部よりも上下方向Ｙの外側へ延出しており、該上下延出部２５ａ，２５ｂが上下方向Ｙの内側へ曲状に折り曲げられて、上側シール域４２と下側シール域４３とによって外層シート２６の非対向面側に固定されている。また、マスク本体２０の下端縁２０ｂは、該下延出部２５ｂが曲状に折り曲げられていることによって、下方へ向かって緩やかに湾曲した形状を有する。かかる曲状の下端縁２０ｂとマスク本体２０の曲状の隅部２７とが相俟って、マスク１０は全体的に丸みを帯びた外観を呈する。
【００２９】
耳掛け部３０は、マスク本体２０の上端部と下端部に位置する上下端３１Ａ，３１Ｂと、上下端３１Ａ，３１Ｂ間において環状に延びる自由部３２とを有する。上端３１Ａは、マスク本体２０の上端部に上固定部３４Ａにおいて固定され、下端３１Ｂは、マスク本体２０の下端部に下固定部３４Ｂにおいて固定される。上下固定部３４Ａ，３４Ｂは、網目状のエンボスパターンであって、上下端３１Ａ，３１Ｂよりもひとまわり大きな矩形状を有し、上下端３１Ａ，３１Ｂをマスク本体２０に溶着又は接着している。上下固定部３４Ａ，３４Ｂが、上下端３１Ａ，３１Ｂの外形よりも大きいことによって、上下端３１Ａ，３１Ｂは、マスク本体２０に対して所要の剥離強度を有し、着用中に上下端３１Ａ，３１Ｂに対してそれを剥離しようとする力が作用しても、容易に剥離することはない。耳掛け部３０の両端３１Ａ，３１Ｂは、上下固定部３４Ａ，３４Ｂによってマスク本体２０の非肌対向面に固定されている。耳掛け部３０の両端３１Ａ，３１Ｂが、マスク本体２０の非肌対向面に固定されていることによって、着用状態において、耳掛け部３０の両端３１Ａ，３１Ｂがマスク本体２０を顔面に押し当てるように作用し、マスク本体２０の密着性を向上させることができる。
【００３０】
上下固定部３４Ａ，３４Ｂの一部には、上下側シール域４２，４３を形成する接合部４１が重なって配置されている。かかる重なり合う部分においては、シートの溶着部分が集中して接合強度が高くなるだけではなく、剛性が比較的に高くなって肌に触れると強く刺激を与えるおそれがあるが、上下側シール域４２，４３の位置する隅部２７がアール形状であるので、肌に触れても強く刺激を与えるおそれはない。
【００３１】
マスク本体２０の口覆い部２４は、基材シート２１をプリーツ状に折り曲げて形成された幅方向Ｘへ延びる複数の襞部２８を有する。襞部２８は、上方から順に、マスク本体２０の非肌対向面側において上向きに凸となる第１〜第３襞部２８Ａ〜２８Ｃと、第３襞部２８Ｃの下方において下向きに凸となる第４襞部２８Ｄとを有する。基材シート２１は、第３襞部２８Ｃと第４襞部２８Ｄとにおいて、断面Ω状に折り曲げられている。口覆い部２４は、かかるプリーツ加工が施されていることによって、基材シート２１が折り重ねられてそれが複数に積層された高剛性域（重畳部分）１３Ａ，１３Ｂと、第３襞部２８Ａと第４襞部２８Ｄとの間に位置する、基材シート２１が折り重ねられていない、単層構造を有する高剛性域１３Ａ，１３Ｂよりも剛性の低い低剛性域（非重畳部）１４とを有する。ここで、「高剛性域１３Ａ，１３Ｂの剛性が低剛性域１４よりも高い」とは、少なくとも上下方向Ｙにおける曲げ剛性において、高剛性域１３Ａ，１３Ｂの方が低剛性域１４よりも高いことを意味する。
【００３２】
本発明においては、基材シート２１の重畳部分と非重畳部分とによって、高剛性域１３Ａ，１３Ｂと低剛性域１４とを形成しているが、基材シート２１を折曲せずに、部分的に他の部分に比してシートの単位面積当たりの質量（目付量）が小さくなるように製造することによって、それらの両領域１３Ａ，１３Ｂ，１４を形成してもよい。また、高剛性域１３Ａ，１３Ｂにのみ別体のシート部材や接着剤等の剛性付与手段を設けることによって、両領域１３Ａ，１３Ｂ，１４を形成してもよい。また、基材シート２１の折畳み態様は、図示例に限定されるものではなく、例えば、襞部２８がすべて上方又は下方へ向いていてもよいし、後記の折曲誘導手段１５を形成する部分がΩ状ではなく、各種公知の断面形状となるように折り畳まれていてもよい。
【００３３】
口覆い部２４では、基材シート２１がプリーツ状に折り曲げられることによって、低剛性域１４以外の部分には、基材シート２１が折り重ねられて形成された高剛性域１３Ａ，１３Ｂが位置する。また、口覆い部２４では、横断中心線Ｑよりも下方において、基材シート２１が断面Ω状に折り曲げられていることによって、低剛性域１４と、低剛性域１４の上方に隣接して位置する第１高剛性域１３Ａと、低剛性域１４の下方に隣接して位置する第２高剛性域１３Ｂとから構成された折曲誘導手段１５を有する。なお、製造工程上、襞部２８Ａ〜２８Ｂ間において、出願人が意図せずに形成される僅かな単層部分（０．１〜０．５ｍｍ程度）は、低剛性域１４とはならない。
【００３４】
図３を参照すると、各高剛性域１３Ａ，１３Ｂの上下方向Ｙの寸法は、ほぼ同じであって、例えば、第１高剛性域１３Ａの上下方向Ｙの寸法（第２高剛性域１３Ｂの上下方向Ｙの寸法も同じ）Ｗ３は、６〜１２ｍｍである。一方、低剛性域１４の上下方向Ｙの寸法Ｗ４は、１〜７ｍｍである。低剛性域１４の上下方向Ｙの寸法Ｗ４が、１ｍｍ未満の場合には、低剛性域１４が折曲を誘導する基点として機能することができず、高剛性域１３Ａ，１３Ｂの一部において変形を生じてしまうおそれがある。一方、低剛性域１４の上下方向Ｙの寸法Ｗ４が７ｍｍを超える場合には、比較的に大きくなり過ぎて、低剛性域１４内においてさらに複数折曲がなされて、歪な形状となるおそれがある。
【００３５】
再び、図２を参照すると、接顔部２２の下端（境界Ｍと同じ）と中央部位１９ａとの上下方向Ｙにおける離間寸法（接顎部２３の上下方向Ｙにおける最大寸法Ｗ２）は、８〜１４ｍｍである。接顎部２３がかかる最大寸法Ｗ２を有することによって、着用者の顎全体を被覆することができる。また、外周シール域４０を形成する上側シール域４２と上端縁２０ａとの上下方向の離間寸法、サイドシール域４４と両側縁２０ｃ，２０ｄとの幅方向Ｘにおける離間寸法が、２〜７ｍｍであって、下側シール域４３と中央部位１９ａとにおける上下方向Ｙの離間寸法Ｒ１が１〜５ｍｍであり、マスク本体２０の外周縁部に位置する外周シール域４０のうちで下側シール域４３がマスク本体２０の外形縁と最も近接して位置している。外周シール域４０が、このような配置態様を有することによって、着用状態における、下側シール域４３から下方へ延びる下端縁の浮き上がりを効果的に防止しうる。
【００３６】
図４及び図５を参照すると、マスク１０の着用状態においては、マスク本体２０の上端部において弾性帯片６０の配置された中央部から両側へ向かう力Ｆ３と、耳掛け部３０の自由部３２を後方又は斜め下方へ引っ張る力Ｆ５が生じることによって、上固定部３４Ａには、下方へ向かう力Ｆ１が作用する。一方、マスク本体２０の下端部においては、接顎部２３の中央部から両側部へ向かう力Ｆ４と、耳掛け部３０の自由部３２においてそれを斜め上方へ引っ張る力Ｆ６とが作用することによって、下固定部３４Ｂには、上方へ向かう力Ｆ２が作用する。
【００３７】
マスク本体２０の両側縁部１８の上下固定部３４Ａ，３４Ｂ間において、互いに逆方向へ向かう力Ｆ１，Ｆ２が作用することによって、両側縁部１８が変形して顔面から浮き上がるように離間するおそれがある。両側縁部１８が比較的に剛性が低い場合には、それを変形させようとする力を分散、吸収することが可能であるが、マスク本体２０全体の剛性が比較的に高い場合には、顔面にフィットせず、浮き上がりを生じるおそれがある。
【００３８】
本実施形態に係るマスク１０では、マスク本体２０の両側縁部１８において、口覆い部２４全体に複数の襞部２８が位置して高剛性域１３Ａ，１３Ｂが形成されていることによって所要の剛性を有するとともに、部分的に低剛性域１４を設けることによって、両側縁部１８を変形させようとする力を分散、吸収することができる。
【００３９】
図６を参照すると、低剛性域１４において、耳掛け部３０の下固定部３４Ｂから上方へ向かう力Ｆ２を吸収、分散することによって、低剛性域１４が、マスク本体２０の内面側に前後方向において折り畳まれるようにタック状に折曲されている。このように、低剛性域１４において、上方へ向かう力Ｆ２を吸収、分散することによって、両側縁部１８が顔面から出っ張るように変形して空気中の花粉や粉塵等が入り込むような隙間が形成されるのを抑制することができる。また、低剛性域１４において、前後方向へ重なるようにタック状に折れ曲がることによって、マスク本体２０は、上端縁２０ａから下端縁２０ｂへかけて外方へ凸曲した、着用者のフェイスラインに沿った放物線状の外形ラインを有する。
【００４０】
また、例えば、低剛性域の上方にのみ高剛性域が配置され、下方に高剛性域が配置されていない場合には、上方へ向かう力を受ける折曲基点となる部分が存在せず、低剛性域において折曲を誘導することができない。本実施形態のマスク１０においては、低剛性域１４の上方に隣接する第１高剛性域１３Ａと下方に隣接する第２高剛性域１３Ｂとが配置されていることによって、低剛性域１４と第１及び第２高剛性域１３Ａ，１３Ｂとの２つの境界（剛性変化点）１６，１７を基点として折曲が誘導され、低剛性域１４がタック状に折れ曲がる。
【００４１】
図４を参照すると、耳掛け部３０を耳８０に掛け回したときに、斜め下方へ引っ張る力Ｆ５よりも斜め上方へ引っ張る力Ｆ６の方が大きくなるとともに、両側縁部１８において上方へ向かう力Ｆ２が下方へ向かう力Ｆ１よりも大きくなる。両側縁部１８の変形を抑制するためには、上方へ向かう力Ｆ２をそれが作用する下固定部３４Ｂの近傍に折曲誘導手段１５を配置することが好ましく、横断中心線Ｑ又はそれよりも上方では、上方へ向かう力Ｆ２を吸収、分散する前に、両側縁部１８が変形してしまう。マスク１０では、第１及び第２高剛性域１３Ａ、１３Ｂと低剛性域１４とから構成された折曲誘導手段１５が、横断中心線Ｑの下方に位置することによって、すなわち、下固定部３４Ｂの近傍に位置することによって、上方へ向かう力Ｆ２をできるだけすぐに低剛性域１４において吸収、分散して両側縁部１８の変形を抑えることができる。
【００４２】
具体的には、マスク本体２０の上下方向Ｙの寸法が約６０〜１００ｍｍの場合において、横断中心線Ｑから低剛性域１４までの上下方向Ｙにおける離間寸法Ｒ３は、約２．０〜８．０ｍｍであることが好ましい。離間寸法Ｒ３が、かかる範囲内であることによって、耳掛け部３０の下固定部３４Ｂから上方へ向かう力Ｆ２が低剛性域１４において吸収、分散されて、着用状態において、それを起点として屈曲させることができる。
【００４３】
折曲誘導手段１５の第２高剛性域１３Ｂには、サイドシール域４４のエンボスラインを形成する外側接合部４１Ａと、その幅方向Ｘの外側に位置する複数の内側接合部４１Ｂとから構成された幅広接合部４５が位置する。マスク本体２０の両側縁部１８において、第２高剛性域１３Ｂに幅広接合部４５が位置することによって、（単位面積当たりにおいて）第２高剛性域１３Ｂの接合部４１Ａ，４１Ｂの総面積が第１高剛性域１３Ａよりも大きくなり、第２高剛性域１３Ｂが第１高剛性域１３Ａよりも高剛性であるといえる。したがって、両側縁部１８における第１及び第２高剛性域１３Ａ，１３Ｂと低剛性域１４との剛性値の相関関係は、第２高剛性域１３Ｂ≧第１高剛性域１３Ａ＞低剛性域１４となる。
【００４４】
第１高剛性域１３Ａと第２高剛性域１３Ｂとにおいて剛性差が生じることによって、各高剛性域１３Ａ，１３Ｂと低剛性域１４との境界１６，１７における曲がり易さが異なるので、折曲誘導手段１５においてより折曲を誘導しやすくなる。また、第２高剛性域１３Ａに幅広接合部４５が位置することによって、上方へ向かう力Ｆ２を広範囲で受け止めて低剛性域１４に吸収させることができるので、境界１６においてより折曲し易くなる。
【００４５】
＜変形例＞
図７及び図８を参照すると、本変形例のマスク１０では、低剛性域１４において、接合部４１Ａが配置されておらず、非シール域（折曲補助手段）５１が形成されている。低剛性域１４において両側縁部１８を変形させようとする力を吸収、分散するためには、低剛性域１４の剛性ができるだけ低いことが好ましく、剛性を高めるようなサイドシール域４４の外側接合部４１Ａが配置されていないことが好ましい。本実施形態においては、非重畳部分において、接合部４１が配置されていない、非シール域５１が位置することによって、低剛性域１４の剛性は所定の比較的に低い剛性を有し、より確実に上向きの力Ｆ２を吸収、分散することで、折曲し易くなる。すなわち、非シール域５１は、低剛性域１４の折曲誘導部としての機能を補助するためのものである。かかる効果を奏するためには、非シール域５１の上下方向Ｙの寸法が、サイドシール域４４の複数の外側接合部４１Ａ間の離間寸法（ピッチ）よりも大きいことが好ましい。非シール域５１の上下方向Ｙの寸法が、外側接合部４１Ａ間と同等又はそれよりも小さい場合には、非シール域５１ではなく、サイドシール域４４における外側接合部４１Ａ間の離間部分において上向きの力Ｆ２が吸収、分散されて屈曲するおそれがあり、マスク本体２０全体を所定の形状の湾曲させることができないおそれがあるからである。
【００４６】
図９を参照すると、本実施形態に係るマスク１０の着用状態において、マスク本体２０の両側縁部１８には顔面から浮き上がるように離間してフェイスラインから出っ張るような部分がない。また、マスク本体２０の両側縁２０ｃ，２０ｄが低剛性域１４において内側へ凸となるような緩やかな放物線状を画くので、フェイスラインに沿うことができ、顔面にフィットされる。また、接顎部２３は、顎の外形ラインに沿うような、中央部位１９ａとサイド曲状部位１９ｂ，１９ｃとからなるラウンド形状であるので、顎にフィットされて、顎が実際よりも幅広に見えることはない。
【００４７】
通常の全体的に矩形状の使い捨てマスクの場合には、下端部において尖鋭状の隅部がフェイスラインから大きく外れた外形ラインを形成するので、実際よりも顔が大きいようなイメージを与えるおそれがある。一方、着用者の顎に当接される部分が、極端に幅狭に形成されていた場合には、顎先の一部が露出して、着用しているマスクのサイズが顔の大きさに合ってないような印象を与えるおそれがある。
【００４８】
再び、図２を参照すると、本実施形態に係るマスク１０においては、マスク１０の接顎部２３において、中央部位１９ａの両側に位置する点Ｐ１から幅方向Ｘへ延びる第１ラインＫ１と、Ｐ１と自由部３２の下端縁と下固定部３４Ｂの内側縁との交点Ｐ２とを結ぶ第２ラインＫ２との交角θ１は、１０〜４０度、好ましくは、１５〜３５度である。交角θ１が１０度未満の場合には、接顎部２３が顎のラインから横に張り出したような外形となり顔が横長な印象を与えるおそれがあり、一方、交角θ１が４０度を超える場合には、接顎部２３がシャープになり過ぎて、マスク１０を着する前に比べて、着用者の顔面が面長であるような印象を与えるおそれがある。マスク１０は、交角θ１が１０〜４０度の範囲内にあるので、両側縁２０ｃ，２０ｄが低剛性域１４において凹曲する緩やかな放物線状をなし、かつ、接顔部が適度にラウンドされた形状を有することから、頬下から顎先にかけての範囲が実際のフェイスラインよりもすっきりとした印象を与え、実際よりも顔の大きさが小さく見るような小顔効果を発揮することができる。
【００４９】
＜小顔効果の評価方法＞
＜事前評価方法＞
まず、事前準備として、評価に使用する資料として、日本人女性の顔の写真画像（肩よりも上方を撮影したもの）を５４０枚、２４インチ液晶ディスプレイ、ヘッドマネキン（２０代の日本人女性の標準的なサイズを有する顔面模型、バイオスキンドールＦ−３００Ｓ，ビューラックス）を用意した。次に、事前評価者（１８歳以上の男女合計３６名）をデスクの上に配置された液晶ディスプレイの画面から６０ｃｍ離れた位置にある椅子に座らせた。液晶ディスプレイの画面には、画像写真を所定のサイズ（３５４×４７２ピクセルのＪＰＥＧ画像、縦９．８ｃｍ×横１３．０７ｃｍ）で表示し、液晶ディスプレイの横には、ヘッドマネキンを配置した。事前評価者は、液晶ディスプレイの画面に表示された写真画像Ａとヘッドマネキンとを対比観察して、ヘッドマネキンの顔の大きさを５０ポイントとした場合の画像写真の顔の大きさを１〜１００（数字が大きいほどに顔が大きい）の範囲で評価して事前評価値とした。事前評価者は、片手で液晶ディスプレイに接続されたパソコン本体のマウスを操作し、視覚的アナログスケール上の適当と思われる数字にカーソルを移動させることによって事前評価値を示した。なお、各評価者による画像写真の評価順序、評価枚数についてはランダムに行った。
【００５０】
各事前評価者による事前評価値を写真画像ごとに集計して平均値を算出した。なお、写真画像ごとに評価者数は異なっており、平均的に、１つの写真画像について１８名が評価した。図１０は、事前評価値を基にして作成したヒストグラム（縦軸を度数、横軸を見た目の顔の大きさの階級）を示したものであって、分布の平均値は５１．３、標準偏差は７．７、最小値は３２．５、最大値は７７．６であった。この分布の最小値から昇順に２２枚の写真画像（小さい顔）、平均値から２２枚の写真画像（平均的な大きさの顔）、最大値から降順に２２枚の写真画像（大きい顔）の合計６６枚の写真画像（写真画像Ａ）を以下の本評価で用いる画像とした。
【００５１】
＜本評価方法＞
事前に準備した写真画像Ａと、写真画像Ａの顔に画像編集ソフトによってマスク１０を着用させた写真画像Ｂとを用意した。本評価者（１８歳以上の男女合計１１名であって、事前評価者とは異なる者）は、事前評価方法と同じ条件で、６６枚の写真画像（写真画像Ａ，Ｂをそれぞれ３３枚）について１枚ずつ、見た目の顔の大きさを評価した。本評価するときには、各本評価者が、同じ人物による写真画像Ａと写真画像Ｂとをともに評価することがないように調整した。各本評価者が評価する写真画像Ａ，Ｂは、ランダムに選別した。かかる本評価によって得られた本評価値をマスク１０の着用の有無（写真画像Ａ，写真画像Ｂ）×元の顔の大きさ（小さい顔、平均的な顔の大きさ、大きい顔）の６条件ごとに集計し、平均値とその標準誤差を算出した。
【００５２】
＜本評価結果＞
図１１を参照すると、「マスク１０未着用の状態において小さい顔」においては、未着用のときの本評価値（写真画像Ａの本評価値）の平均が４０．５であるのに対し、マスク１０を着用した状態における本評価値（写真画像Ｂの本評価値）の平均が３３．５であった。また、「マスク未着用の状態において平均的な大きさの顔」においても、未着用のときの本評価値の平均が５３．３であるのに対し、マスク１０を着用した状態における本評価値の平均が４４．８、「マスク未着用の状態において大きい顔」においても、未着用のときの本評価値の平均が７０．６であるのに対し、マスク１０を着用した状態における本評価値の平均が６３．１であって、いずれの場合においても、マスク１０を着用してない状態の顔の大きさに関係なく、マスク１０を着用すると、見た目の顔の大きさが小さく感じられた。
【００５３】
また、本評価によって得られた本評価値に関し、前記６条件に関する２要因分散分析を行ったところ、マスク１０の着用の有無の主効果（Ｆ（１，１０）＝１０．４０,ｐ＝０．０９）、元の顔の大きさの主効果（Ｆ（２，２０）＝９１．５５,ｐ＝．００１）であって、統計的に有意な結果を得ることができた。マスク１０の着用の有無と元の顔の大きさとの交互作用は認められなかった。よって、元の顔の大きさに関係なく、マスク１０を着用した顔は着用していない顔よりも、小さく見える（小顔に見える）という統計結果を得ることができた。
【００５４】
マスク１０を構成する部材には、特に明記されていない限りにおいて、本明細書に記載されている材料のほかに、この種の分野において通常用いられている公知の材料を制限なく用いることができる。また、本明細書において使用されている「第１」及び「第２」等の用語は、同様の要素、位置等を単に区別するために用いてある。
【符号の説明】
【００５５】
１０  使い捨てマスク
１３Ａ  第１高剛性域
１３Ｂ  第２高剛性域
１４  低剛性域
１５  折曲誘導手段
２０  マスク本体
２１  基材シート
２８Ａ〜１８Ｄ  襞部
４１  接合部
Ｑ  横断中心線
Ｗ３  高剛性域の上下方向の寸法
Ｗ４  低剛性域の上下方向の寸法
Ｘ  幅方向
Ｙ  上下方向
【要約】
【課題】マスク本体の両側縁部における変形を抑制し、すっきりとした印象を与えることのできる使い捨てマスクの提供。
【解決手段】使い捨てマスク１０では、マスク本体２０の上下方向Ｙの寸法を２等分する横断中心線Ｑよりも下方において、幅方向Ｘへ延び、かつ、上下方向Ｙにおいて所定幅を有する、他の部分に比して剛性の低い低剛性域１４が位置する。
【選択図】図１【図１】
0005917757.tif 000002
【図２】
0005917757.tif 000003
【図３】
0005917757.tif 000004
【図４】
0005917757.tif 000005
【図５】
0005917757.tif 000006
【図６】
0005917757.tif 000007
【図７】
0005917757.tif 000008
【図８】
0005917757.tif 000009
【図９】
0005917757.tif 000010
【図１０】
0005917757.tif 000011
【図１１】
0005917757.tif 000012